(57)【要約】【課題】  防塵効果を有すると共に、異物の挿入による感電問題を防止する電源ソケットの防塵及び安全装置を提供する。【解決手段】  下部に開口を有する本体１０と、該開口１０に設置される封止プレート２０と、該本体１０の内部に設置される二つの可動プレート３０とを有し、前記本体１０は、矩形を呈し、上面に電源ソケットの挿入孔と対応する挿入孔１１が形成され、内部に該挿入孔１１と連通する収容部が形成され、前記封止プレート２０に本体の挿入孔１１と対応する貫通孔２１が形成され、前記二つの可動プレート３０の形状が互いに対応し、各可動プレート３０は、コ字形を呈し、一側に他側の高さより高いと共に、本体の挿入孔１１と対応する防塵プレート３１が設けられ、他側に封止プレート２０の貫通孔と対応する止めプレート３２が設けられ、各防塵プレート３１の内側に位置決めピン３３が設けられ、二つの可動プレート３０における位置決めピン３３の間にスプリング３４が設けられることを特徴とする。【選択図】  図１
0003130164.tif 000002
【実用新案登録請求の範囲】
【請求項１】
下部に開口を有する本体と、該開口に設置される封止プレートと、該本体の内部に設置される二つの可動プレートとを有し、
前記本体は、矩形を呈し、上面に電源ソケットの挿入孔と対応する挿入孔が形成され、内部に該挿入孔と連通する収容部が形成され、
前記封止プレートに本体の挿入孔と対応する貫通孔が形成され、
前記二つの可動プレートの形状が互いに対応し、各可動プレートは、コ字形を呈し、一側に他側の高さより高いと共に、本体の挿入孔と対応する防塵プレートが設けられ、他側に封止プレートの貫通孔と対応する止めプレートが設けられ、各防塵プレートの内側に位置決めピンが設けられ、二つの可動プレートにおける位置決めピンの間にスプリングが設けられることを特徴とする電源ソケットの防塵及び安全装置。
【請求項２】
前記防塵プレートの上面に本体の挿入孔に向かう傾斜の案内斜面が形成されることを特徴とする請求項１に記載の電源ソケットの防塵及び安全装置。
【考案の詳細な説明】
【技術分野】
【０００１】
本考案は、特に防塵効果を有すると共に、子供から異物の挿入により感電問題を防止する電源ソケットの防塵及び安全装置に関するものである。
【背景技術】
【０００２】
異物や汚れが挿入孔を通じて電源ソケット内に進入することを防止するために、従来の電源ソケットに挿入孔を封閉させる回転自在な防塵プレートが設けられ、電源プラグのブレードが挿入孔に挿入すると、ブレードの押圧より防塵プレートが下方へ回転すると共に、挿入孔を露出し、故にブレードが該挿入孔を通じて電源ソケットの内部に設置した導電プレートと電気接続することができる。
【考案の開示】
【考案が解決しようとする課題】
【０００３】
前記従来の防塵プレートは、異物や汚れなどの進入問題を防止できるが、子供が異物を電源ソケットに挿入すると感電してしまうという問題を防止できないので、更に改良する必要がある。
【０００４】
そこで、案出されたのが本考案であって、防塵効果を有すると共に、子供による異物の挿入で発生する感電問題を防止する電源ソケットの防塵及び安全装置を提供することを目的としている。
【課題を解決するための手段】
【０００５】
本願の請求項１の考案は、下部に開口を有する本体と、該開口に設置される封止プレートと、該本体の内部に設置される二つの可動プレートとを有し、前記本体は、矩形を呈し、上面に電源ソケットの挿入孔と対応する挿入孔が形成され、内部に該挿入孔と連通する収容部が形成され、前記封止プレートに本体の挿入孔と対応する貫通孔が形成され、前記二つの可動プレートの形状が互いに対応し、各可動プレートは、コ字形を呈し、一側に他側の高さより高いと共に、本体の挿入孔と対応する防塵プレートが設けられ、他側に封止プレートの貫通孔と対応する止めプレートが設けられ、各防塵プレートの内側に位置決めピンが設けられ、二つの可動プレートにおける位置決めピンの間にスプリングが設けられることを特徴とする電源ソケットの防塵及び安全装置、を提供する。
【０００６】
本願の請求項２の考案は、前記防塵プレートの上面に本体の挿入孔に向かう傾斜の案内斜面が形成されることを特徴とする請求項１に記載の電源ソケットの防塵及び安全装置、を提供する。
【考案の効果】
【０００７】
本考案は上記の課題を解決するものであり、本体の内部に防塵プレートと止めプレートを有する二つの可動プレートが設けられ、同時にプラグのブレードの押圧を受けると、各可動プレートが挿入孔から離れて、ブレードの挿入を可能とする。一方、一つの可動プレートだけプラグのブレードの押圧を受ける際、該ブレードの挿入はできないので、不慮の感電の事故を防止できる。
【考案を実施するための最良の形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００９】
図１は本考案に係る電源ソケットの防塵及び安全装置の分解斜視図であり、図２は本考案に係る電源ソケットの防塵及び安全装置における、ブレードの挿入前状態を示す断面図であり、図３は本考案に係る電源ソケットの防塵及び安全装置における、ブレードの挿入後状態を示す断面図であり、図４は本考案に係る電源ソケットの防塵及び安全装置における、ブレードの挿入前状態を示す平面図であり、図５は本考案に係る電源ソケットの防塵及び安全装置における、ブレードの挿入後状態を示す平面図であり、図６は本考案に係る電源ソケットの防塵及び安全装置における、異物の挿入後状態を示す断面図である。
【００１０】
図１、図２及び図４に示すように、本考案に係る電源ソケットの防塵及び安全装置は、一般の電源ソケット（符号なし）における挿入孔の上側に設置されるものであり、下部に開口（１３）を有する本体（１０）と、該開口（１３）に設置される封止プレート（２０）と、該本体（１０）の内部に設置される二つの可動プレート（３０）とを有し、該本体は、矩形を呈し、上面に電源ソケットの挿入孔と対応する挿入孔（１１）が形成され、内部に該挿入孔（１１）と連通する収容部（１２）が形成される。
【００１１】
前記封止プレート（２０）に本体（１０）の挿入孔と対応する貫通孔（２１）が形成され、前記二つの可動プレート（３０）の形状が互いに対応し、各可動プレート（３０）は、コ字形を呈し、一側に他側の高さより高いと共に、本体（１０）の挿入孔（１１）と対応する防塵プレート（３１）が設けられ、他側に封止プレート（２０）の貫通孔（２１）と対応する止めプレート（３２）が設けられ、各防塵プレート（３１）の内側に位置決めピン（３３）が設けられ、二つの可動プレート（３０）における位置決めピン（３３）との間にスプリング（３４）が設けられる。
【００１２】
前記可動プレート（３０）を収容部（１２）に設置する際、該スプリング（３４）の付勢力によって夫々可動プレート（３０）に付勢することにより、各可動プレート（３０）の防塵プレート（３１）を本体（１０）の挿入孔（１１）と位置合わせると共に、止めプレート（３２）を封止プレート（２０）の貫通孔（２１）と位置合わせ、又、防塵プレート（３１）の上面に挿入孔（１１）に向かう傾斜の案内斜面（３５）が形成されることにより、防塵プレート（３１）が外力を受けると、他の挿入孔（１１）の方向へ移動すると共に、スプリング（３４）を圧縮することができる。
【００１３】
又、図２、図３及び図５に示すように、本考案に係る電源ソケットの防塵及び安全装置は、プラグ（４０）のブレード（４１）が同時に挿入孔（１１）に挿入すると、該ブレード（４１）が防塵プレート（３１）を押圧し、そして防塵プレート（３１）が本体（１０）の挿入孔（１１）から離れると共に、止めプレート（３２）が封止プレート（２０）の貫通孔（２１）から離れることにより、ブレード（４１）が挿入孔（１１）と貫通孔（２１）を通じて電源ソケット（符号なし）の内部に挿入すると共に、電源ソケットの内部における電極プレートと電気接続することができる。
【００１４】
図６に示すように、一つの可動プレート（３０）の防塵プレート（３１）が異物（５０）の挿入により挿入孔（１１）から離れる際、他の可動プレート（３０）の止めプレート（３２）が貫通孔（２１）から離れていないため、該異物（５０）は挿入孔（１１）までしか挿入されず、貫通孔（２１）に挿入することができないので、不慮の感電の事故を防止できる。
【産業上の利用可能性】
【００１５】
本考案は上記の構成を有し、本体の内部に防塵プレートと止めプレートを有する二つの可動プレートが設けられ、同時にプラグのブレードの押圧を受けると、各可動プレートが挿入孔から離れて、ブレードの挿入を可能とする。一方、一つの可動プレートだけプラグのブレードの押圧を受ける際、該ブレードの挿入はできないので、不慮の感電の事故を防止できる。
【図面の簡単な説明】
【００１６】
【図１】本考案に係る電源ソケットの防塵及び安全装置の分解斜視図である。
【図２】本考案に係る電源ソケットの防塵及び安全装置における、ブレードの挿入前状態を示す断面図である。
【図３】本考案に係る電源ソケットの防塵及び安全装置における、ブレードの挿入後状態を示す断面図である。
【図４】本考案に係る電源ソケットの防塵及び安全装置における、ブレードの挿入前状態を示す平面図である。
【図５】本考案に係る電源ソケットの防塵及び安全装置における、ブレードの挿入後状態を示す平面図である。
【図６】本考案に係る電源ソケットの防塵及び安全装置における、異物の挿入後状態を示す断面図である。
【符号の説明】
【００１７】
１０        本体
１１        挿入孔
１２        収容部
２０        封止プレート
２１        貫通孔
３０        可動プレート
３１        防塵プレート
３２        止めプレート
３３        位置決めピン
３４        スプリング
３５        案内斜面
４０        プラグ
４１        ブレード
５０        異物
【図１】
0003130164.tif 000003
【図２】
0003130164.tif 000004
【図３】
0003130164.tif 000005
【図４】
0003130164.tif 000006
【図５】
0003130164.tif 000007
【図６】
0003130164.tif 000008